(57)【特許請求の範囲】
【請求項１】
保存缶を含み、前記保存缶の中には隔離空間が設けられ、前記隔離空間の円周側内壁には中心対称の四つの連結溝が形成され、前記連結溝の中には折り畳みテーブルが設けられ、前記連結溝の上側内壁にスライドできるように連結された板によって前記折り畳みテーブルは読みと書き写し用の支持板を提供でき、前記隔離空間の円周側端面には前記折り畳みテーブルの下端に位置する足踏みスイッチが設けられ、前記足踏みスイッチは前記板とヒンジによって連結された引きロッドを通じて前記折り畳みテーブルを制御でき、前記隔離空間の頂端内壁には中心対称の四つの引っ掛けロッドが固定的に連結され、前記引っ掛けロッドは前記連結溝とずれるように配置され、前記引っ掛けロッドには紙資料を保存できる収納装置が回転できるように連結され、前記隔離空間の中には上下に延びている中心柱が固定的に連結され、前記中心柱には中心対称の四つの折返し装置が設けられ、前記折返し装置は前記収納装置を制御でき、前記折返し装置は前記中心柱と回転できるように連結された揺動アームを含み、前記揺動アームはＺ字型構造であり、前記揺動アームにおいて対称中心から離れた端が高く、前記揺動アームにおいて対称中心に近接した端が低く、前記揺動アームにおいて対称中心に近接した側が回転する時、前記揺動アームのもう一端が前記収納装置を連動させ、前記収納装置が前記引っ掛けロッドに沿って回転し、前記中心柱には前記折返し装置の下端に位置する乾かし装置が設けられ、前記乾かし装置は前記中心柱に回転できるように連結されたファンの回転によって風が生じて水蒸気を取り除くことができることを特徴とする紙資料保護システム。
【請求項２】
前記隔離空間の中には隔離板が固定的に連結され、前記隔離板と前記乾かし装置とが回転できるように連結されていることを特徴とする請求項１に記載の紙資料保護システム。
【請求項３】
前記折り畳みテーブルは前記連結溝の内壁と回転できるように連結された駆動軸を含み、前記駆動軸と前記板とが回転できるように連結され、前記駆動軸には前記板の時計回り側に位置する主プーリーが設けられていることを特徴とする請求項１に記載の紙資料保護システム。
【請求項４】
前記足踏みスイッチは前記隔離空間の円周側端面と連通するように形成された中心対称の四つの回転溝を含み、前記回転溝の中には固定軸が回転できるように連結され、前記固定軸には前記引きロッドの下端とヒンジによって連結された回転板が回転できるように連結され、前記回転板と前記回転溝との間にはトーションバネが連結され、前記回転板において対称中心から離れた一端には折り畳み溝が形成され、上方に開口した前記折り畳み溝の開口方向が対称中心側から離れており、前記折り畳み溝の中には踏み板が回転できるように連結されていることを特徴とする請求項１に記載の紙資料保護システム。
【請求項５】
前記収納装置は前記引っ掛けロッドに回転できるように連結された固定箱を含み、前記固定箱の中には対称中心から離れた側に開口した収納空間が設けられ、前記収納空間の下端内壁にはバネ溝が連通するように形成され、前記バネ溝の中には前記収納空間の中まで延びた挟み板がスライドできるように連結され、前記挟み板と前記バネ溝との間には抵抗力バネが連結され、前記固定箱において対称中心に近接した側の端面にはスライド溝が形成されていることを特徴とする請求項３に記載の紙資料保護システム。
【請求項６】
前記折返し装置は前記揺動アームの底端の水平部分に設けられた歯車を含み、前記揺動アームの頂端の水平部分には回転軸が設けられ、前記回転軸には前記スライド溝とスライドできるように連結されたスライドブロックが回転できるように連結され、前記中心柱には前記揺動アームの下側に位置する中心対称の四つの桁が設けられ、前記桁には前記歯車と噛合するように連結されたラックがスライドできるように連結され、前記中心柱には前記桁の下端の中に位置する支持フレームが設けられ、前記支持フレームの中には上方に開口した伝動空間が設けられ、前記伝動空間には中心対称の四つの開口が連通するように設けられ、前記伝動空間の中には中心対称の旋転軸が回転できるように連結され、前記旋転軸には前記開口において対称中心に近接した側に位置する副プーリーが設けられ、前記副プーリーと前記主プーリーとの間にはベルトが連結され、これによって前記板の回転による動力を前記折返し装置に伝達し、前記旋転軸には前記副プーリーの反時計回り側に位置する曲率輪が設けられ、前記曲率輪が前記ラックと当接していることを特徴とする請求項５に記載の紙資料保護システム。
【請求項７】
前記曲率輪が前記旋転軸を中心に片方向へ回転し、前記曲率輪は半径が徐々に増えていく螺旋形構造であることを特徴とする請求項６に記載の紙資料保護システム。
【請求項８】
前記乾かし装置は前記隔離板と回転できるように連結された軸スリーブを含み、前記軸スリーブにおいて前記隔離板の上側に位置する部分が前記ファンと固定的に連結され、前記軸スリーブには前記隔離板の下側に位置する副傘歯車が設けられ、前記隔離空間の中には左右対称の伝動軸が回転できるように連結され、前記伝動軸には前記隔離空間の底端の外側まで延びた車輪が設けられ、前記隔離空間の左端の前記伝動軸には前記副傘歯車と噛合するように連結された主傘歯車が設けられていることを特徴とする請求項２に記載の紙資料保護システム。
【発明の詳細な説明】
【技術分野】
【０００１】
本願発明は紙資料保存分野を取り上げて、具体的には紙資料保護システムである。
【背景技術】
【０００２】
科学技術の急速発展に伴い、研究過程のトレサビリティーを実現するため、そして資料の調べを便利にするため、デジタル資料を紙資料にプリントアウトし保存する必要があり、今、紙資料を保存できる保存キャビネットは大体構造が簡単で、機能が単一であり、また表示板がついていないため、使用者が好きなタイミングで資料を調べることと書き写すことに不便であり、また資料を読んだ後紙に人体からの水蒸気が残され、伝統的な保存キャビネットは水蒸気を処理できなく、ただ水蒸気を自然に乾かせるため、水蒸気が紙を侵食し、字が見えにくくなる可能性があり、本願発明装置は以上の問題を解決できる。
【先行技術文献】
【特許文献】
【０００３】
【特許文献１】中国特許出願公開第１０８００１８５４号明細書
【発明の概要】
【発明が解決しようとする課題】
【０００４】
技術問題：伝統的な紙資料保存キャビネットは使用者が好きなタイミングで資料を調べることと書き写すことに不便である以上、資料を読んだ後紙についた水蒸気を取り除くことができない。
【課題を解決するための手段】
【０００５】
上記の課題を解決するため、本願発明は以下の技術プランを採用する：本願発明の紙資料保護システムは、保存缶を含み、前記保存缶の中には隔離空間が設けられ、前記隔離空間の円周側内壁には中心対称の四つの連結溝が形成され、前記連結溝の中には折り畳みテーブルが設けられ、前記連結溝の上側内壁にスライドできるように連結された板によって前記折り畳みテーブルは読みと書き写し用の支持板を提供でき、前記隔離空間の円周側端面には前記折り畳みテーブルの下端に位置する足踏みスイッチが設けられ、前記足踏みスイッチは前記板とヒンジによって連結された引きロッドを通じて前記折り畳みテーブルを制御でき、前記隔離空間の頂端内壁には中心対称の四つの引っ掛けロッドが固定的に連結され、前記引っ掛けロッドは前記連結溝とずれるように配置され、前記引っ掛けロッドには紙資料を保存できる収納装置が回転できるように連結され、前記隔離空間の中には上下に延びている中心柱が固定的に連結され、前記中心柱には中心対称の四つの折返し装置が設けられ、前記折返し装置は前記収納装置を制御でき、前記折返し装置は前記中心柱と回転できるように連結された揺動アームを含み、前記揺動アームはＺ字型構造であり、前記揺動アームにおいて対称中心から離れた端が高く、前記揺動アームにおいて対称中心に近接した端が低く、前記揺動アームにおいて対称中心に近接した側が回転する時、前記揺動アームのもう一端が前記収納装置を連動させ、前記収納装置が前記引っ掛けロッドに沿って回転し、前記中心柱には前記折返し装置の下端に位置する乾かし装置が設けられ、前記乾かし装置は前記中心柱に回転できるように連結されたファンの回転によって風が生じて水蒸気を取り除くことができる。
【０００６】
優選の技術プランとして、前記隔離空間の中には隔離板が固定的に連結され、前記隔離板と前記乾かし装置とが回転できるように連結されている。
【０００７】
前記折り畳みテーブルは前記連結溝の内壁と回転できるように連結された駆動軸を含み、前記駆動軸と前記板とが回転できるように連結され、前記駆動軸には前記板の時計回り側に位置する主プーリーが設けられている。
【０００８】
前記足踏みスイッチは前記隔離空間の円周側端面と連通するように形成された中心対称の四つの回転溝を含み、前記回転溝の中には固定軸が回転できるように連結され、前記固定軸には前記引きロッドの下端とヒンジによって連結された回転板が回転できるように連結され、前記回転板と前記回転溝との間にはトーションバネが連結され、前記回転板において対称中心から離れた一端には折り畳み溝が形成され、上方に開口した前記折り畳み溝の開口方向が対称中心側から離れており、前記折り畳み溝の中には踏み板が回転できるように連結されている。
【０００９】
前記収納装置は前記引っ掛けロッドに回転できるように連結された固定箱を含み、前記固定箱の中には対称中心から離れた側に開口した収納空間が設けられ、前記収納空間の下端内壁にはバネ溝が連通するように形成され、前記バネ溝の中には前記収納空間の中まで延びた挟み板がスライドできるように連結され、前記挟み板と前記バネ溝との間には抵抗力バネが連結され、前記固定箱において対称中心に近接した側の端面にはスライド溝が形成されている。
【００１０】
前記折返し装置は前記揺動アームの底端の水平部分に設けられた歯車を含み、前記揺動アームの頂端の水平部分には回転軸が設けられ、前記回転軸には前記スライド溝とスライドできるように連結されたスライドブロックが回転できるように連結され、前記中心柱には前記揺動アームの下側に位置する中心対称の四つの桁が設けられ、前記桁には前記歯車と噛合するように連結されたラックがスライドできるように連結され、前記中心柱には前記桁の下端の中に位置する支持フレームが設けられ、前記支持フレームの中には上方に開口した伝動空間が設けられ、前記伝動空間には中心対称の四つの開口が連通するように設けられ、前記伝動空間の中には中心対称の旋転軸が回転できるように連結され、前記旋転軸には前記開口において対称中心に近接した側に位置する副プーリーが設けられ、前記副プーリーと前記主プーリーとの間にはベルトが連結され、これによって前記板の回転による動力を前記折返し装置に伝達し、前記旋転軸には前記副プーリーの反時計回り側に位置する曲率輪が設けられ、前記曲率輪が前記ラックと当接している。
【００１１】
優選の技術プランとして、前記曲率輪が前記旋転軸を中心に片方向へ回転し、前記曲率輪は半径が徐々に増えていく螺旋形構造である。
【００１２】
前記乾かし装置は前記隔離板と回転できるように連結された軸スリーブを含み、前記軸スリーブにおいて前記隔離板の上側に位置する部分が前記ファンと固定的に連結され、前記軸スリーブには前記隔離板の下側に位置する副傘歯車が設けられ、前記隔離空間の中には左右対称の伝動軸が回転できるように連結され、前記伝動軸には前記隔離空間の底端の外側まで延びた車輪が設けられ、前記隔離空間の左端の前記伝動軸には前記副傘歯車と噛合するように連結された主傘歯車が設けられている。
【発明の効果】
【００１３】
本願発明は円環内壁のスライドできるように連結する方式によって、保存されている紙資料の密封性を保証し、口塞ぎの折返しの板を書き写し用の支持板として利用し、使用者の資料を置くニーズと書き写すニーズを満足し、対応する板を踏むことで、機械の伝動によって翻転板と文書の収納された箱との作動過程において、外部の動力が必要なく、コストが低く、環境に優しく、持続的に作動でき、また、移動する過程において輪の回転による動力によってファンを回転させ、本願発明内部の水蒸気の乾燥速度を加速させ、紙資料についた水蒸気を取り除き、これで紙資料が変質しない。
【図面の簡単な説明】
【００１４】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の紙資料保護システムの全体構成略図
【図２】図２は図１のＡ―Ａ方向の構成略図
【図３】図３は図１のＢ―Ｂ方向の構成略図
【図４】図４は図１のＣの拡大構成略図
【図５】図５は図１のＤ―Ｄ方向の構成略図
【図６】図６は図１のＥ―Ｅ方向の構成略図
【発明を実施するための形態】
【００１６】
本願発明の紙資料保護システムは、主に紙資料の保存保護に適用され、以下に付図を合わせて本願発明を詳しく説明する：
【００１７】
本願発明の前記紙資料保護システムは、保存缶１１を含み、前記保存缶１１の中には隔離空間１２が設けられ、前記隔離空間１２の円周側内壁には中心対称の四つの連結溝４０が形成され、前記連結溝４０の中には折り畳みテーブル９０１が設けられ、前記連結溝４０の上側内壁にスライドできるように連結された板３８によって前記折り畳みテーブル９０１は読みと書き写し用の支持板を提供でき、前記隔離空間１２の円周側端面には前記折り畳みテーブル９０１の下端に位置する足踏みスイッチ９０２が設けられ、前記足踏みスイッチ９０２は前記板３８とヒンジによって連結された引きロッド１９を通じて前記折り畳みテーブル９０１を制御でき、前記隔離空間１２の頂端内壁には中心対称の四つの引っ掛けロッド４３が固定的に連結され、前記引っ掛けロッド４３は前記連結溝４０とずれるように配置され、前記引っ掛けロッド４３には紙資料を保存できる収納装置９０３が回転できるように連結され、前記隔離空間１２の中には上下に延びている中心柱１５が固定的に連結され、前記中心柱１５には中心対称の四つの折返し装置９０４が設けられ、前記折返し装置９０４は前記収納装置９０３を制御でき、前記折返し装置９０４は前記中心柱１５と回転できるように連結された揺動アーム１３を含み、前記揺動アーム１３はＺ字型構造であり、前記揺動アーム１３において対称中心から離れた端が高く、前記揺動アーム１３において対称中心に近接した端が低く、前記揺動アーム１３において対称中心に近接した側が回転する時、前記揺動アーム１３のもう一端が前記収納装置９０３を連動させ、前記収納装置９０３が前記引っ掛けロッド４３に沿って回転し、前記中心柱１５には前記折返し装置９０４の下端に位置する乾かし装置９０５が設けられ、前記乾かし装置９０５は前記中心柱１５に回転できるように連結されたファン２９の回転によって風が生じて水蒸気を取り除くことができる。
【００１８】
有益に、前記隔離空間１２の中には隔離板２８が固定的に連結され、前記隔離板２８と前記乾かし装置９０５とが回転できるように連結され、前記隔離板２８によって前記隔離空間１２を各自に独立する上下二つの空間に分けることができる。
【００１９】
以下に折り畳みテーブル９０１を詳しく説明し、前記折り畳みテーブル９０１は前記連結溝４０の内壁と回転できるように連結された駆動軸３２を含み、前記駆動軸３２と前記板３８とが回転できるように連結され、前記駆動軸３２には前記板３８の時計回り側に位置する主プーリー３１が設けられている。
【００２０】
以下に足踏みスイッチ９０２について詳しく説明し、前記足踏みスイッチ９０２は前記隔離空間１２の円周側端面と連通するように形成された中心対称の四つの回転溝２５を含み、前記回転溝２５の中には固定軸２０が回転できるように連結され、前記固定軸２０には前記引きロッド１９の下端とヒンジによって連結された回転板２１が回転できるように連結され、前記回転板２１と前記回転溝２５との間にはトーションバネ５２が連結され、前記回転板２１において対称中心から離れた一端には折り畳み溝２３が形成され、上方に開口した前記折り畳み溝２３の開口方向が対称中心側から離れており、前記折り畳み溝２３の中には踏み板２４が回転できるように連結され、前記回転溝２５の下端内壁の制限により回転板２１の回転能力を制限し、これによって踏み板２４を引き続き回転させ、足が宙に浮かない。
【００２１】
以下に収納装置９０３を詳しく説明し、前記収納装置９０３は前記引っ掛けロッド４３に回転できるように連結された固定箱４２を含み、前記固定箱４２の中には対称中心から離れた側に開口した収納空間４１が設けられ、前記収納空間４１の下端内壁にはバネ溝５１が連通するように形成され、前記バネ溝５１の中には前記収納空間４１の中まで延びた挟み板４９がスライドできるように連結され、前記挟み板４９と前記バネ溝５１との間には抵抗力バネ５０が連結され、前記固定箱４２において対称中心に近接した側の端面にはスライド溝３９が形成されている。
【００２２】
以下に折返し装置９０４を詳しく説明し、前記折返し装置９０４は前記揺動アーム１３の底端の水平部分に設けられた歯車１６を含み、前記揺動アーム１３の頂端の水平部分には回転軸１７が設けられ、前記回転軸１７には前記スライド溝３９とスライドできるように連結されたスライドブロック１８が回転できるように連結され、前記中心柱１５には前記揺動アーム１３の下側に位置する中心対称の四つの桁３７が設けられ、前記桁３７には前記歯車１６と噛合するように連結されたラック１４がスライドできるように連結され、前記中心柱１５には前記桁３７の下端の中に位置する支持フレーム４４が設けられ、前記支持フレーム４４の中には上方に開口した伝動空間３３が設けられ、前記伝動空間３３には中心対称の四つの開口３６が連通するように設けられ、前記伝動空間３３の中には中心対称の旋転軸３５が回転できるように連結され、前記旋転軸３５には前記開口３６において対称中心に近接した側に位置する副プーリー４５が設けられ、前記副プーリー４５と前記主プーリー３１との間にはベルト３０が連結され、これによって前記板３８の回転による動力を前記折返し装置９０４に伝達し、前記旋転軸３５には前記副プーリー４５の反時計回り側に位置する曲率輪３４が設けられ、前記曲率輪３４が前記ラック１４と当接している。
【００２３】
有益に、前記曲率輪３４が前記旋転軸３５を中心に片方向へ回転し、前記曲率輪３４は半径が徐々に増えていく螺旋形構造である。
【００２４】
以下に乾かし装置９０５を詳しく説明し、前記乾かし装置９０５は前記隔離板２８と回転できるように連結された軸スリーブ４８を含み、前記軸スリーブ４８において前記隔離板２８の上側に位置する部分が前記ファン２９と固定的に連結され、前記軸スリーブ４８には前記隔離板２８の下側に位置する副傘歯車４７が設けられ、前記隔離空間１２の中には左右対称の伝動軸２６が回転できるように連結され、前記伝動軸２６には前記隔離空間１２の底端の外側まで延びた車輪２７が設けられ、前記隔離空間１２の左端の前記伝動軸２６には前記副傘歯車４７と噛合するように連結された主傘歯車４６が設けられ、前記保存缶１１を移動することによって前記車輪２７を回転連動させ、そして噛合伝動によって前記ファン２９を駆動し回転させ、前記ファン２９が風を送る。
【００２５】
以下に図１〜６を合わせて本出願の紙資料保護システムの使用手順を詳しく説明し：
【００２６】
資料を調べる時、資料の位置と対応する踏み板２４を踏み、回転板２１を回転させ、トーションバネ５２が動力を弾性位置エネルギーに変え、回転板２１が回転溝２５の下端内壁と当接した後、踏み板２４が引き続き上側に回転し、足の裏を水平に踏み板２４に踏むことによって力を省け、この過程において、回転板２１が回転し引きロッド１９を通じて板３８を対称中心から離れた方向へ九十度回転させ、板３８が水平に広げられて書き写し用の水平支持板になり、板３８が回転する時に駆動軸３２の回転によって主プーリー３１を回転させ、これによってベルト３０によって副プーリー４５を同期に回転連動させ、副プーリー４５が旋転軸３５によって副プーリー４５を上方へ回転連動させ、ラック１４が上方へ押し動かされ、ラック１４が噛合によって揺動アーム１３を半周回転させ、揺動アーム１３と固定箱４２との間の距離が変わらなく、揺動アーム１３の回転の水平方向の長さが伸び、従い、揺動アーム１３の動力が回転軸１７によってスライドブロック１８をスライド溝３９の中でスライドさせ、固定箱４２が回されて引っ掛けロッド４３に沿って反時計回りに回転し、収納空間４１の開口端を連結溝４０の中に位置させ、挟み板４９を片側へ引き動かし、紙資料を取って板３８に置き、読みと書き写しが可能になる。
【００２７】
調べ終わった後、踏み板２４から足を外し、トーションバネ５２の弾性回復力によって固定軸２０を逆方向へ回転させ、上記の過程が逆方向へ行われ、資料が改めて保存され、保存缶１１を移動するときに、車輪２７が地面と接触し回転し、伝動軸２６によって主傘歯車４６を回転させ、主傘歯車４６が噛合によって副傘歯車４７を回転させ、これによって軸スリーブ４８でファン２９を回転させ、風を送り、資料についた水蒸気の乾かし速度を加速させる。
【００２８】
本願発明の有益効果は：本願発明は円環内壁のスライドできるように連結する方式によって、保存されている紙資料の密封性を保証し、口塞ぎの折返しの板を書き写し用の支持板として利用し、使用者の資料を置くニーズと書き写すニーズを満足し、対応する板を踏むことで、機械の伝動によって翻転板と文書の収納された箱との作動過程において、外部の動力が必要なく、コストが低く、環境に優しく、持続的に作動でき、また、移動する過程において輪の回転による動力によってファンを回転させ、本願発明内部の水蒸気の乾燥速度を加速させ、紙資料についた水蒸気を取り除き、これで紙資料が変質しない。
【００２９】
以上の方式により、当業者は本願発明の範囲内に作動方式によって各種の変化を加えることができる。
【図１】
0006808147.tif 000002
【図２】
0006808147.tif 000003
【図３】
0006808147.tif 000004
【図４】
0006808147.tif 000005
【図５】
0006808147.tif 000006
【図６】
0006808147.tif 000007